(57)【要約】  エレベータのかご室照明装置において、照明カバーは、主カバーと、第１のかご室壁に対向する第１の補助カバーと、第２のかご室壁に対向する第２の補助カバーとを有している。照明カバーの長手方向の第１及び第２の補助カバーの寸法は、照明カバーの長手方向の主カバーの寸法よりもそれぞれ小さくなっている。第１の補助カバーは、第１の補助カバー締結具を緩めることにより、主カバーに隣接する位置と第１のかご室壁に接触する位置との間で、照明カバー取付部材に対して長手方向へスライド可能になる。
2016166883.tif 000002
【特許請求の範囲】
【請求項１】
かご室内の上部に固定された照明カバー取付部材に、前記かご室の互いに対向する第１及び第２のかご室壁に対して間隔をおいて取り付けられる照明カバー、及び
前記照明カバーの内側に配置される照明器具
を備え、
前記照明カバーは、
前記照明カバー取付部材に固定される主カバーと、
第１の補助カバー締結具により前記照明カバー取付部材に固定され、かつ前記第１のかご室壁に対向する第１の補助カバーと、
第２の補助カバー締結具により前記照明カバー取付部材に固定され、かつ前記第２のかご室壁に対向する第２の補助カバーと
を有しており、
前記第１及び第２のかご室壁に直交する方向である長手方向の前記第１の補助カバーの寸法、及び前記長手方向の前記第２の補助カバーの寸法は、前記長手方向の前記主カバーの寸法よりもそれぞれ小さくなっており、
前記第１の補助カバーは、前記第１の補助カバー締結具を緩めることにより、前記主カバーに隣接する位置と前記第１のかご室壁に接触する位置との間で、前記照明カバー取付部材に対して前記長手方向へスライド可能になるエレベータのかご室照明装置。
【請求項２】
前記第２の補助カバーは、前記第２の補助カバー締結具を緩めることにより、前記主カバーに隣接する位置と前記第２のかご室壁に接触する位置との間で、前記照明カバー取付部材に対して前記長手方向へスライド可能になる請求項１記載のエレベータのかご室照明装置。
【請求項３】
かご室内の上部に固定された照明カバー取付部材に、前記かご室の互いに対向する第１及び第２のかご室壁に対して間隔をおいて取り付けられる照明カバー、及び
前記照明カバーの内側に配置される照明器具
を備え、
前記照明カバーは、
前記照明カバー取付部材に固定される主カバーと、
補助カバー締結具により前記照明カバー取付部材に固定され、かつ前記第１のかご室壁に対向する補助カバーとを有しており、
前記第１及び第２のかご室壁に直交する方向である長手方向の前記補助カバーの寸法は、前記長手方向の前記主カバーの寸法よりも小さくなっており、
前記補助カバーは、前記補助カバー締結具を緩めることにより、前記主カバーに隣接する位置と前記第１のかご室壁に接触する位置との間で、前記照明カバー取付部材に対して前記長手方向へスライド可能になるエレベータのかご室照明装置。
【請求項４】
かご室内の上部に固定された照明カバー取付部材に、前記かご室の互いに対向する第１及び第２のかご室壁に対して間隔をおいて取り付けられる照明カバーを備え、
前記照明カバーは、主カバーと、前記第１及び第２のかご室壁に直交する方向である長手方向の寸法が前記主カバーよりも小さい第１及び第２の補助カバーとを有しているエレベータのかご室照明装置の据付方法であって、
前記第１の補助カバーを、前記第１のかご室壁に接触する位置で前記照明カバー取付部材に仮固定する工程、
前記第２の補助カバーを、前記第２のかご室壁に接触する位置で前記照明カバー取付部材に仮固定する工程、
前記主カバーを、前記第１及び第２の補助カバーとの間にそれぞれ隙間が形成される位置で前記照明カバー取付部材に固定する工程、及び
前記第１及び第２の補助カバーを、前記長手方向にスライドさせ、前記主カバーに接触する位置で前記照明カバー取付部材に本固定する工程
を含むエレベータのかご室照明装置の据付方法。
【請求項５】
かご室内の上部に固定された照明カバー取付部材に、前記かご室の互いに対向する第１及び第２のかご室壁に対して間隔をおいて取り付けられる照明カバーを備え、
前記照明カバーは、主カバーと、前記第１及び第２のかご室壁に直交する方向である長手方向の寸法が前記主カバーよりも小さい補助カバーとを有しているエレベータのかご室照明装置の据付方法であって、
前記補助カバーを、前記第１のかご室壁に接触する位置で前記照明カバー取付部材に仮固定する工程、
前記主カバーを、前記補助カバーとの間に隙間が形成される位置で前記照明カバー取付部材に固定する工程、及び
前記補助カバーを、前記長手方向にスライドさせ、前記主カバーに接触する位置で前記照明カバー取付部材に本固定する工程
を含むエレベータのかご室照明装置の据付方法。
【発明の詳細な説明】
【技術分野】
【０００１】
この発明は、エレベータのかご室内の上部に設けられているかご室照明装置、及びそのかご室への据付方法に関するものである。
【背景技術】
【０００２】
従来のエレベータでは、かご室内の幅方向両側の上部に一対の照明装置が配置されている。各照明部装置は、天井に固定されている枠体と、枠体に設けられている複数の光源と、光源を覆うように枠体の下部に設けられている照明板（意匠面カバー）とを有している。照明板は、かご室の奥行き方向（前後方向）のほぼ全長に渡って配置されている（例えば、特許文献１参照）。
【先行技術文献】
【特許文献】
【０００３】
【特許文献１】特開昭６０−１７８１７９号公報（第３図）
【発明の概要】
【発明が解決しようとする課題】
【０００４】
上記のような従来のエレベータでは、かご室内の奥行き方向のほぼ全長に渡る長尺の照明カバーが用いられているため、照明カバーをかご室内の上部に取り付ける際に、照明カバーがかご室壁に接触し、かご室壁又は照明カバーを損傷する恐れがある。【０００５】
また、照明装置がかご室の奥行き方向に沿って配置されているため、据付時には、照明カバーをかご出入口からかご室内に搬入した向きのまま持ち上げて枠体に取り付けることができるが、照明装置を、かご室の幅方向（間口方向）に沿って、幅方向のほぼ全長に渡って配置しようとすると、照明カバーをかご室内で回転させる必要が生じる。このため、かご室内に回転用のスペースを確保する必要があり、照明装置の据付性が低い。また、照明カバーを回転させる際に、かご室壁に接触し、かご室壁又は照明カバーを損傷する恐れがある。【０００６】
この発明は、上記のような課題を解決するためになされたものであり、かご室壁又は照明カバーの損傷を防止しつつ、長尺の照明カバーをかご室に容易に設置することができ、据付性を向上させることができるエレベータのかご室照明装置及びその据付方法を得ることを目的とする。
【課題を解決するための手段】
【０００７】
この発明に係るエレベータのかご室照明装置は、かご室内の上部に固定された照明カバー取付部材に、かご室の互いに対向する第１及び第２のかご室壁に対して間隔をおいて取り付けられる照明カバー、及び照明カバーの内側に配置される照明器具を備え、照明カバーは、照明カバー取付部材に固定される主カバーと、第１の補助カバー締結具により照明カバー取付部材に固定され、かつ第１のかご室壁に対向する第１の補助カバーと、第２の補助カバー締結具により照明カバー取付部材に固定され、かつ第２のかご室壁に対向する第２の補助カバーとを有しており、第１及び第２のかご室壁に直交する方向である長手方向の第１の補助カバーの寸法、及び長手方向の第２の補助カバーの寸法は、長手方向の主カバーの寸法よりもそれぞれ小さくなっており、第１の補助カバーは、第１の補助カバー締結具を緩めることにより、主カバーに隣接する位置と第１のかご室壁に接触する位置との間で、照明カバー取付部材に対して長手方向へスライド可能になる。
また、この発明に係るエレベータのかご室照明装置は、かご室内の上部に固定された照明カバー取付部材に、かご室の互いに対向する第１及び第２のかご室壁に対して間隔をおいて取り付けられる照明カバー、及び照明カバーの内側に配置される照明器具を備え、照明カバーは、照明カバー取付部材に固定される主カバーと、補助カバー締結具により照明カバー取付部材に固定され、かつ第１のかご室壁に対向する補助カバーとを有しており、第１及び第２のかご室壁に直交する方向である長手方向の補助カバーの寸法は、長手方向の主カバーの寸法よりも小さくなっており、補助カバーは、補助カバー締結具を緩めることにより、主カバーに隣接する位置と第１のかご室壁に接触する位置との間で、照明カバー取付部材に対して長手方向へスライド可能になる。
さらに、この発明に係るエレベータのかご室照明装置の据付方法は、かご室内の上部に固定された照明カバー取付部材に、かご室の互いに対向する第１及び第２のかご室壁に対して間隔をおいて取り付けられる照明カバーを備え、照明カバーは、主カバーと、第１及び第２のかご室壁に直交する方向である長手方向の寸法が主カバーよりも小さい第１及び第２の補助カバーとを有しているエレベータのかご室照明装置の据付方法であって、第１の補助カバーを、第１のかご室壁に接触する位置で照明カバー取付部材に仮固定する工程、第２の補助カバーを、第２のかご室壁に接触する位置で照明カバー取付部材に仮固定する工程、主カバーを、第１及び第２の補助カバーとの間にそれぞれ隙間が形成される位置で照明カバー取付部材に固定する工程、及び第１及び第２の補助カバーを、長手方向にスライドさせ、主カバーに接触する位置で照明カバー取付部材に本固定する工程を含む。
さらにまた、この発明に係るエレベータのかご室照明装置の据付方法は、かご室内の上部に固定された照明カバー取付部材に、かご室の互いに対向する第１及び第２のかご室壁に対して間隔をおいて取り付けられる照明カバーを備え、照明カバーは、主カバーと、第１及び第２のかご室壁に直交する方向である長手方向の寸法が主カバーよりも小さい補助カバーとを有しているエレベータのかご室照明装置の据付方法であって、補助カバーを、第１のかご室壁に接触する位置で照明カバー取付部材に仮固定する工程、主カバーを、補助カバーとの間に隙間が形成される位置で照明カバー取付部材に固定する工程、及び補助カバーを、長手方向にスライドさせ、主カバーに接触する位置で照明カバー取付部材に本固定する工程を含む。
【発明の効果】
【０００８】
この発明のかご室照明装置及びその据付方法によれば、かご室壁又は照明カバーの損傷を防止しつつ、長尺の照明カバーをかご室に容易に設置することができ、据付性を向上させることができる。
【図面の簡単な説明】
【０００９】
【図１】この発明の実施の形態１によるエレベータのかご室照明装置を示す斜視図である。
【図２】図１のかご室照明装置の据付途中の状態を示す斜視図である。
【図３】図２の後段の状態を示す斜視図である。
【図４】図３の後段の状態を示す斜視図である。
【図５】この発明の実施の形態２によるかご室照明装置の据付手順を示す斜視図である。
【図６】図５の後段の状態を示す斜視図である。
【図７】この発明の実施の形態３によるエレベータのかご室照明装置を示す斜視図である。
【図８】図７のかご室照明装置の据付途中の状態を示す斜視図である。
【発明を実施するための形態】
【００１０】
以下、この発明を実施するための形態について、図面を参照して説明する。
実施の形態１．
図１はこの発明の実施の形態１によるエレベータのかご室照明装置を示す斜視図である。図において、かご室１は、前面、前面に対向する後面、第１の側面、第１の側面に対向する第２の側面、及び上面を有している。かご室１の前面には、かご出入口１ａが設けられている。図１は、かご室１内からかご出入口１ａの上部を見た図である。かご室１の上面には、天蓋２が設けられている。
【００１１】
かご室１の第１の側面には、第１のかご室壁である第１の側壁３が配置されている。かご室１の第２の側面には、第２のかご室壁である第２の側壁４が配置されている。第１及び第２の側壁３，４は、互いに対向している。
【００１２】
かご室１の前面のかご出入口１ａの上部には、出入口上板５が設けられている。かご出入口１ａの一側には、袖壁６が設けられている。袖壁６は、第１の側壁３に隣接してコーナー部を形成している。かご出入口１ａの他側には、戸当たり柱７が設けられている。戸当たり柱７は、第２の側壁４に隣接してコーナー部を形成している。
【００１３】
天蓋２には、照明カバー取付部材８（図２）が固定（ねじ止め）されている。照明カバー取付部材８及び出入口上板５には、かご室照明装置１１が取り付けられている。かご室照明装置１１の外形は、略直方体（直方体の前面（かご室１の後面に対向する面）の上部を乗場側へ凹ませた形状）である。
【００１４】
かご室照明装置１１は、照明カバー１２と、照明カバー１２の内側に配置されている照明源である照明器具１３とを有している。照明器具１３としては、例えば蛍光灯、白熱灯、又はＬＥＤ（Light Emitting Diode）等が用いられている。
【００１５】
照明カバー１２は、第１及び第２の側壁３，４に対して間隔をおいて配置されている。即ち、照明カバー１２と第１の側壁３との間、及び照明カバー１２と第２の側壁４との間には、それぞれ隙間が設けられている。また、照明カバー１２は、第１及び第２の側壁３，４に直交する方向、即ちかご室１の幅方向に平行な方向である長手方向（図１の左右方向）の寸法が、かご出入口１ａの幅寸法よりも大きい。
【００１６】
さらに、照明カバー１２は、長手方向に複数（この例では３つ）に分割されている。これにより、照明カバー１２は、長手方向の中間に配置されている主カバー（中央カバー）１４と、第１の側壁３に対向している第１の補助カバー１５と、第２の側壁４に対向している第２の補助カバー１６とを有している。
【００１７】
第１の補助カバー１５は、照明カバー１２の長手方向の第１の端部に位置し、主カバー１４の第１の側壁３側の端部に接触している。第２の補助カバー１６は、照明カバー１２の長手方向の第２の端部に位置し、主カバー１４の第２の側壁４側の端部に接触している。第１及び第２の補助カバー１５，１６のかご室１内に臨む面は、主カバー１４のかご室１内に臨む面と面一になっている。
【００１８】
照明カバー１２の長手方向の第１の補助カバー１５の寸法、及び照明カバー１２の長手方向の第２の補助カバー１６の寸法は、照明カバー１２の長手方向の主カバー１４の寸法よりもそれぞれ小さくなっている。この例では、照明カバー１２の長手方向の第１の補助カバー１５の寸法は、照明カバー１２の長手方向の第２の補助カバー１６の寸法と同じである。
【００１９】
また、第１の補助カバー１５と第１の側壁３との間隔（かご室１の幅方向への寸法）、及び第２の補助カバー１６と第２の側壁４との間隔（かご室１の幅方向への寸法）は、照明カバー１２の長手方向の第１及び第２の補助カバー１５，１６の寸法よりもそれぞれ十分に小さい。
【００２０】
主カバー１４は、複数の主カバー締結具１７により照明カバー取付部材８に固定されている。第１の補助カバー１５は、第１の補助カバー締結具１８により照明カバー取付部材８に固定されている。第２の補助カバー１６は、第２の補助カバー締結具１９により照明カバー取付部材８に固定されている。締結具１７，１８，１９としては、それぞれねじが用いられている。
【００２１】
第１の補助カバー１５には、第１の補助カバー締結具１８を通す第１の孔１５ａが設けられている。第１の孔１５ａは、第１の補助カバー締結具１８の頭部の通過を許容する大径部１５ｂと、大径部１５ｂの主カバー１４側に連続して設けられており、第１の補助カバー締結具１８の頭部の通過を許容しない長孔部１５ｃとを有している。
【００２２】
第１の補助カバー１５は、第１の補助カバー締結具１８を緩めることにより、主カバー１４に隣接する位置と第１の側壁３に接触する位置との間で、照明カバー取付部材８に対して照明カバー１２の長手方向へスライド可能になっている。
【００２３】
第２の補助カバー１６には、第２の補助カバー締結具１９を通す第２の孔１６ａが設けられている。第２の孔１６ａは、第２の補助カバー締結具１９の頭部の通過を許容する大径部１６ｂと、大径部１６ｂの主カバー１４側に連続して設けられており、第２の補助カバー締結具１９の頭部の通過を許容しない長孔部１６ｃとを有している。
【００２４】
第２の補助カバー１６は、第２の補助カバー締結具１９を緩めることにより、主カバー１４に隣接する位置と第２の側壁４に接触する位置との間で、照明カバー取付部材８に対して照明カバー１２の長手方向へスライド可能になっている。
【００２５】
主カバー１４、第１の補助カバー１５及び第２の補助カバー１６は、かご室１の外側（乗場側）から、複数のねじ（図示せず）により出入口上板５に固定されている。出入口上板５には、主カバー１４を固定するためのねじを通す複数の孔、及び第１及び第２の補助カバー１５，１６を固定するためのねじを通す複数の長孔（図示せず）が設けられている。カバー１４，１５，１６には、出入口上板５を貫通したねじが締め込まれる複数のねじ孔部材（ナット等）が固定されている。
【００２６】
次に、かご室照明装置１１の据付方法について説明する。第１及び第２の補助カバー締結具１８，１９は、照明カバー取付部材８に予め取り付けておく。そして、図２に示すように、照明カバー取付部材８及び出入口上板５に第１の補助カバー１５を取り付ける。このとき、第１の補助カバー１５は、第１の側壁３に接触する位置に仮固定する。
【００２７】
続いて、図３に示すように、照明カバー取付部材８及び出入口上板５に第２の補助カバー１６を取り付ける。このとき、第２の補助カバー１６は、第２の側壁４に接触する位置に仮固定する。
【００２８】
この後、図４に示すように、照明カバー取付部材８及び出入口上板５に主カバー１４を取り付ける（本固定）。このとき、主カバー１４と第１の補助カバー１５との間には、隙間が形成されている。また、主カバー１４と第２の補助カバー１６との間にも、隙間が形成されている。
【００２９】
最後に、図１に示すように、第１及び第２の補助カバー１５，１６をそれぞれ照明カバー１２の長手方向にスライドさせて主カバー１４に接触させて本固定する。なお、図２〜４では省略したが、照明器具１３は、主カバー１４を照明カバー取付部材８に取り付ける前に出入口上板５に取り付ける。
【００３０】
このようなかご室照明装置１１及びその据付方法では、主カバー１４よりも小型の補助カバー１５，１６を先に照明カバー取付部材８に取り付け、しかも、補助カバー１５，１６を第１及び第２の側壁３，４にそれぞれ先に接触させておき、その後に長尺の主カバー１４を照明カバー取付部材８に取り付ける。
【００３１】
このため、側壁３，４又は照明カバー１２の損傷を防止しつつ、長尺（かご室１内の幅方向寸法とほぼ同等）の照明カバー１２をかご室１に容易に設置することができ、据付性を向上させることができる。また、一人作業でのかご室照明装置１１のかご室１内からの後付けが可能である。さらに、照明カバー１２の長手方向がかご室１の幅方向に沿う方向であっても、照明カバー１２をかご室１に容易に設置することができる。
【００３２】
実施の形態２．
次に、この発明の実施の形態２について説明する。実施の形態２のかご室照明装置１１の構成は、実施の形態１と同様である。そして、実施の形態２では、照明カバー１２の据付手順だけが実施の形態１と異なっている。具体的には、実施の形態２では、第１の補助カバー１５を実施の形態１と同様に仮固定した後、図５に示すように、第２の補助カバー１６を、第２の側壁４に接触する位置ではなく、正規の位置に本固定する。
【００３３】
この後、実施の形態１と同様に、主カバー１４を照明カバー取付部材８及び出入口上板５に固定する。このとき、図６に示すように、主カバー１４と第１の補助カバー１５との間には隙間が形成されているが、第２の補助カバー１６は主カバー１４に接触している。この後の据付手順は、実施の形態１と同様である。
【００３４】
このような据付手順によっても、側壁３，４又は照明カバー１２の損傷を防止しつつ、長尺の照明カバー１２をかご室１に容易に設置することができ、据付性を向上させることができる。また、一人作業でのかご室照明装置１１のかご室１内からの後付けが可能である。さらに、照明カバー１２の長手方向がかご室１の幅方向に沿う方向であっても、照明カバー１２をかご室１に容易に設置することができる。
【００３５】
実施の形態３．
次に、図７はこの発明の実施の形態３によるかご室照明装置１１を示す斜視図である。実施の形態３の主カバー１４は、実施の形態１の主カバー１４と第２の補助カバー１６とを一体化したものである。補助カバーとしては、実施の形態１の第１の補助カバー１５のみが用いられている。即ち、照明カバー１２は、長手方向に２つに分割されている。他の構成は、実施の形態１と同様である。
【００３６】
次に、照明カバー１２の据付手順について説明する。まず、補助カバー１５を実施の形態１と同様に仮固定する。続いて、図８に示すように、主カバー１４を正規の位置に固定する。このとき、主カバー１４と第２の側壁４との間には、隙間が形成されている。また、主カバー１４と補助カバー１５との間にも、隙間が形成されている。この後の手順は、実施の形態２と同様である。
【００３７】
このようなかご室照明装置１１及びその据付方法によっても、側壁３，４又は照明カバー１２の損傷を防止しつつ、長尺の照明カバー１２をかご室１に容易に設置することができ、据付性を向上させることができる。また、一人作業でのかご室照明装置１１のかご室１内からの後付けが可能である。さらに、照明カバー１２の長手方向がかご室１の幅方向に沿う方向であっても、照明カバー１２をかご室１に容易に設置することができる。
【００３８】
なお、上記の例では、かご室１内からかご出入口１ａに向かって右側の側壁を第１の側壁３、左側の側壁を第２の側壁４としたが、逆であってもよい。
また、上記の例では、第１及び第２の側壁３，４をそれぞれ第１及び第２のかご室壁としたが、かご室１内の前面の壁及び後面の壁をそれぞれ第１及び第２のかご室壁としてもよい。即ち、かご室の奥行き方向を長手方向とする照明カバーを用いてもよい。
さらに、上記の例では、補助カバー締結具を通す孔を長孔とすることにより、補助カバーをスライド可能としたが、照明カバー取付部材に引っ掛けられるフック部を補助カバーの上部に設けることによりスライド可能としてもよい。
さらにまた、主カバーを照明カバーの長手方向に複数に分割してもよい。
また、実施の形態１、２では、長手方向の第１及び第２の補助カバー１５，１６の寸法を同じとしたが、異なるサイズの第１及び第２の補助カバーを用いてもよい。
さらに、１つのかご室内に２つ以上のかご室照明装置を配置してもよい。
さらにまた、エレベータ全体のレイアウトは、特に限定されるものではない。
また、この発明は、例えば機械室レスエレベータ、ダブルデッキエレベータ、又はワンシャフトマルチカー方式のエレベータなど、種々のタイプのエレベータのかご室照明装置に適用できる。
【図１】
2016166883.tif 000003
【図２】
2016166883.tif 000004
【図３】
2016166883.tif 000005
【図４】
2016166883.tif 000006
【図５】
2016166883.tif 000007
【図６】
2016166883.tif 000008
【図７】
2016166883.tif 000009
【図８】
2016166883.tif 000010
【国際調査報告】
2016166883.tif 000011
2016166883.tif 000012